(57)【特許請求の範囲】
【請求項１】
複数の管（２、３）を固定して接続するためのクランプにおいて、
クランプ（１）の少なくとも一方の終端領域（８）が折り返されており、クランプ（１）の端部（１０）の稜がフランジ（４）に添接するようにクランプ（１）の端部（１０）が屈曲されており、一方の管（２）がその端部にフランジ（４）を有しており、稜がシャープに形成されていて、複数の管（２、３）とクランプ（１）が組み立てられた場合に、フランジ（４）の変形をもたらすことができるようになっていることを特徴とするクランプ。
【請求項２】
折り返された終端領域が、添接の領域においてエッジの鋭い稜で形成されていることを特徴とする請求項１に記載のクランプ。
【請求項３】
クランプ（１）に、組み立てられた状態において管（２、３）を位置決めして固定するために用いられる、最大で１つのフラップ（６）が設けられていることを特徴とする請求項１または２に記載のクランプ。
【請求項４】
クランプ（１）に突出するフラップが設けられていないことを特徴とする請求項３に記載のクランプ。
【請求項５】
クランプ（１）の終端領域（８）は、ほぼ角を丸くされた三角形を形成するように、折り返されていることを特徴とする請求項１から４のいずれか１項に記載のクランプ。
【請求項６】
三角形が、９０度を越える角度を持たないことを特徴とする請求項５に記載のクランプ。
【請求項７】
三角形が、ほぼ等辺であることを特徴とする請求項５または６に記載のクランプ。
【請求項８】
スリット（７）が、クランプ（１）の少なくとも一方の終端領域（８）に設けられており、前記スリットがクランプ（１）の長手方向に延びていることを特徴とする請求項１から７のいずれか１項に記載のクランプ。
【請求項９】
スリット（７）が、該当する三角形の２つの辺にわたって延びていることを特徴とする請求項５と８に記載のクランプ。
【請求項１０】
クランプ（１）が横軸に関してほぼ対称に形成されており、横軸は、組み込まれた状態において、接続しかつ固定すべき管（２、３）の長手軸に対して平行に延びていることを特徴とする請求項１から９のいずれか１項に記載のクランプ。
【発明の詳細な説明】
【技術分野】
【０００１】
本発明は、管を固定して接続するためのクランプ、特に自動車内の熱交換機に接続管を固定するためのクランプに関する。
【背景技術】
【０００２】
図５から７は、自動車熱交換機の２つの管１０２、１０３を接続するために用いられる、従来の、組み込まれたクランプ１０１を示している。一方の管１０２は、その端部に第１のフランジ１０４を有している。他方の、第１の管１０２内へ軽く導入された第２の管１０３は、その端部から少し離れて、第２のフランジ１０５を形成する、一周する隆起部を有しており、その隆起部は第１のフランジ１０４よりも小さい外径を有している。クランプ１０１は、打ち抜かれた金属薄板曲げ部品であって、対称に形成されている。クランプ１０１を位置決めして、２つの管１０２、１０３をしっかりと組み合わせるために、クランプ１０１は複数の切曲されたフラップ１０６と、クランプ１０１の終端領域１０８内にクランプ１０１の長手方向に延びる２つのスリット１０７とを有している。組立てを容易にするために、クランプ１０１はそれぞれ終端領域１０８に導入斜面１０９を有している。さらに、操作性を改良するために、すべての稜が角を丸くされている。この種のクランプは、操作性は良いが、クランプをうっかりと引き抜いてしまうような、誤用に関してはまだ解決されていない希望がある。
【発明の開示】
【発明が解決しようとする課題】
【０００３】
本発明の課題は、管を固定して接続するための、改良されたクランプを提供することである。
【課題を解決するための手段】
【０００４】
この課題は、請求項１に記載の特徴を有するクランプによって、解決される。好ましい形態が、従属請求項の対象である。
【発明の実施の形態】
【０００５】
本発明によれば、管を固定して接続するためのクランプが設けられており、そのクランプにおいてクランプの少なくとも１つの終端領域が折り返されている。その場合にクランプは、好ましくは少し入り組むようにされた２つの管を把持する。その場合に折り返された終端領域が、接続すべき少なくとも１つの管のフランジの外側面に添接する。クランプは、−従来技術に比較して−導入斜面が減少されているにもかかわらず、前もって位置決めされた管に簡単にあてがって、嵌め込むことができる。終端領域の外側への突出が少ないことに基づいて、クランプは余り簡単に嵌めたり外したりできないので、このクランプは誤用に関してより安全である。また、クランプの折り返された端部の終端領域がフランジまたは隆起部に支持され、クランプを取り外そうとした場合に管をしっかりと把持するので、クランプの取外しが困難になる。
【０００６】
好ましくはクランプは、折り返された終端領域に、特にフランジに添接する領域に、エッジの鋭い稜を有している。組み立てる際にクランプがその最終位置へ嵌り込んだ場合に、シャープな稜がフランジに食い込むことにより、好ましくはフランジの軽微な弾性変形が行われ、すなわちクランプがフランジをしっかりと「噛む」。
【０００７】
不法な取外しに関する安全性を向上させるために、クランプには外側へ突出するフラップは設けられず、あるいは最大で１つしか設けられないので、手がかりがないためにクランプの取外しが困難になる。
【０００８】
好ましくはクランプの終端領域は、ほぼ角の丸い三角の形を形成するように、折り返されており、その場合に好ましくは三角形の角のどれも、９０°より大きくない。好ましくは三角形は、ほぼ等辺であり、すなわちすべての角度は約６０°±１０°の範囲内にある。その場合に三角形は、平面において横軸に対して垂直に形成されている。
【０００９】
好ましくはクランプの少なくとも１つの終端領域の領域に、スリットが設けられており、そのスリットはクランプの長手方向に延びている。このスリット内に、フランジの少なくとも１つが収容されるので、クランプは正しく位置決めされる。スリットは、該当する三角形の好ましくは２つの辺にわたって延びており、その場合にスリットは三角形の半径方向最も外側の端部の当たりで終了している。
【００１０】
好ましくはクランプは、横軸に関してほぼ対称に形成されており、すなわち非対称に配置された部材ないしフラップを設けることもできるが、終端領域は鏡像状に形成されている。その場合に横軸は、組み立てられた状態において、接続して固定すべき管の長手軸に対して平行に延びる。
【実施例】
【００１１】
以下、図面を参照しながら実施例を用いて、本発明を詳細に説明する。
【００１２】
図１から４に示すような、本発明に基づくクランプ１は、特に２つの管２と３を、あるいは１つの管を自動車熱交換機の接続端に、接続するために用いられる。その場合に−従来技術と同様に−一方の管２はその端部に第１のフランジ４を有している、他方の、第１の管２内へ軽く導入される第２の管３は、その端部から少し離れて、第２のフランジ５を形成する、一周する隆起部を有しており、その隆起部は第１のフランジ４よりも小さい外径を有している。
【００１３】
クランプ１は、横軸に関してほぼ対称に形成されている。その場合に横軸は、組み込まれた状態において、接続しかつ固定すべき管２、３の長手軸に対して平行に延びる。クランプ１は、複数のフラップ６を有しており、それらフラップは切曲されており、かつ管２、３を位置決めして固定するために用いられる。さらに、横軸に関して対称に形成されて、クランプ１の長手方向に延びる２つのスリット７がクランプ１の両方の端部領域８に設けられている。これらのスリット７は、第１のフランジ４を包囲し、かつクランプ１を管２に関して位置決めして固定するために用いられる。
【００１４】
以下においては、対称に形成されていることにより、クランプ１の一方の終端領域８のみを説明する。
【００１５】
クランプ１の終端領域８は、図４から明らかなように、折り返されている。その場合に終端領域８は大体において、角を丸くした直角三角形の形状を有している。その場合にスリット７は、三角形の３つの辺の２つにわたって延びており、半径方向に見て最も外側の角当たりで終了している。クランプ１の端部１０は、１つの稜がフランジ４に添接するような距離だけ屈曲されている（図３を参照）。その場合に稜はシャープに形成されているので、組み合わせた場合にフランジ４の変形をもたらすことができて、クランプ１は「しっかりと噛む」。しかし、クランプ１の他の稜は、操作性を改良するために、角を丸くされている。
【００１６】
組立てを容易にするために、終端領域８によって形成される三角形の半径方向内側に位置する側に、軽微な導入斜面９が設けられている。
【００１７】
組み合わせるために、管２と３が位置決めされて、クランプ１がその上にクリップの形式で押し嵌められる。結合をテストするために、図３に示すように、引張り突起１１によって引張り力がコントロールされる。
【図面の簡単な説明】
【００１８】
【図１】本発明に基づくクランプを示している。
【図２】図１のクランプを、組み込んだ状態で示している。
【図３】図２に基づいて組み込まれたクランプを簡単に示す上面図である。
【図４】図１のクランプを中央で切断して詳細に示している。
【図５】従来技術に基づくクランプを、図１と同様に示している。
【図６】図５の従来のクランプを組み込んだ状態で示している。
【図７】図６に示す従来の、組み込まれたクランプを簡単に示す上面図である。
【符号の説明】
【００１９】
１、１０１  クランプ
２、１０２  管
３、１０３  管
４、１０４  フランジ
５、１０５  フランジ
６、１０６  フラップ
７、１０７  スリット
８、１０８  終端領域
９、１０９  導入斜面
１０  端部
１１  引張り突起
【図１】
0004550588.tif 000002
【図２】
0004550588.tif 000003
【図３】
0004550588.tif 000004
【図４】
0004550588.tif 000005
【図５】
0004550588.tif 000006
【図６】
0004550588.tif 000007
【図７】
0004550588.tif 000008